(57)【要約】      （修正有）【課題】ドラムキットを変更しても所望の演奏入力装置については設定音色を固定する。【解決手段】ドラムキットは、パッドの各々に対応する音色のセット（ドラムセット）を規定して成る。ユーザは、パッドごとに音色ロックを設定可能である。ドラムキットの選択が受け付けられた場合、音色ロックが設定されていないパッドについてだけ設定音色の変更がなされ、音色ロックが設定されているパッドについては、設定音色が変更されずに維持される。【選択図】図６
2017151355.tif 000002
【特許請求の範囲】
【請求項１】
複数の演奏入力装置の各々に対応する音色のセットを規定して成るドラムキットの選択を受け付ける受け付け手段と、
前記演奏入力装置ごとに、音色ロックを設定する設定手段と、
前記受け付け手段によりドラムキットの選択が受け付けられた場合、前記設定手段により音色ロックが設定されていない演奏入力装置については、設定音色を前記受け付け手段により受け付けられたドラムキットに規定された対応する音色へと変更し、前記設定手段により音色ロックが設定されている演奏入力装置については、設定音色を変更せずに維持する変更手段と、を有することを特徴とする電子打楽器。
【請求項２】
前記設定手段により音色ロックが設定された演奏入力装置を報知する報知手段を有することを特徴とする請求項１に記載の電子打楽器。
【請求項３】
前記変更手段は、ユーザからの変更指示に基づき前記演奏入力装置の設定音色を個別に変更可能であり、
前記設定手段により音色ロックが設定されている演奏入力装置については、ユーザからの変更指示があっても設定音色を変更しないことを特徴とする請求項１または２に記載の電子打楽器。
【発明の詳細な説明】
【技術分野】
【０００１】
本発明は、音色が割り当てられる複数の演奏入力装置を有する電子打楽器に関する。
【背景技術】
【０００２】
従来、音色が割り当てられる複数の演奏入力装置を有する電子打楽器が知られている。例えば、特許文献１では、電子ドラムにおいて、演奏入力装置である複数のパッドの各々に対応する音色のセットを規定して成るドラムキットを選択すると、対応する音色が各パッドに設定される。パッドへの割り当てはドラムキットごとに異なるため、ドラムキットの変更により、各パッドの設定音色を一斉に変更することができる。
【先行技術文献】
【特許文献】
【０００３】
【特許文献１】特許第５７２４２３１号公報
【発明の概要】
【発明が解決しようとする課題】
【０００４】
しかしながら、ユーザによっては、特定のパッドについては常に固定の音が鳴ってほしい場合がある。例えば、スプラッシュシンバルの音を発生させるために追加パッドを購入した場合、特定の位置にセットした追加パッドは常にスプラッシュシンバルの音が鳴ってほしい要望がある。この場合、ドラムキットを変更する度に追加パッドまで含めて全ての演奏操作子が他の音色に自動変更されてしまうと、追加パッドは改めて音色設定をスプラッシュシンバルに修正する必要があり、不都合である。なお、ドラムキット作成機能を用いて、特定のパッドの音色が複数のドラムキット間で共通となるように、ドラムキットを新たに作成して登録すれば、それらのドラムキット間の変更に際しては特定のパッドの音色が変更されずに済む。しかしそのような対処方法では手間がかかり、現実的でない。
【０００５】
本発明は上記従来技術の問題を解決するためになされたものであり、その目的は、ドラムキットを変更しても所望の演奏入力装置については設定音色を固定することができる電子打楽器を提供することにある。
【課題を解決するための手段】
【０００６】
上記目的を達成するために本発明の請求項１の電子打楽器は、複数の演奏入力装置の各々に対応する音色のセットを規定して成るドラムキットの選択を受け付ける受け付け手段（２７）と、前記演奏入力装置ごとに、音色ロックを設定する設定手段（２５）と、前記受け付け手段によりドラムキットの選択が受け付けられた場合、前記設定手段により音色ロックが設定されていない演奏入力装置については、設定音色を前記受け付け手段により受け付けられたドラムキットに規定された対応する音色へと変更し、前記設定手段により音色ロックが設定されている演奏入力装置については、設定音色を変更せずに維持する変更手段（５）と、を有することを特徴とする。
【０００７】
なお、上記括弧内の符号は例示である。
【発明の効果】
【０００８】
本発明の請求項１によれば、ドラムキットを変更しても所望の演奏入力装置については設定音色を固定することができる。
【０００９】
請求項２によれば、設定音色が固定される演奏入力装置を知らせることができる。請求項３によれば、設定音色が固定されている演奏入力装置の設定音色を誤って変更してしまうことを回避することができる。
【図面の簡単な説明】
【００１０】
【図１】本発明の一実施の形態に係る電子打楽器の斜視図である。
【図２】電子打楽器の全体構成を示すブロック図である。
【図３】コントローラを示す図である。
【図４】表示部の表示例を示す図（図（ａ）〜（ｄ））である。
【図５】メイン処理のフローチャートである。
【図６】キット選択の処理のフローチャートである。
【図７】音色選択の処理のフローチャートである。
【発明を実施するための形態】
【００１１】
以下、本発明の実施の形態を図面を参照して説明する。
【００１２】
図１は、本発明の一実施の形態に係る電子打楽器の斜視図である。この電子打楽器２０は、スタンド２２と、床面に設置されたキックユニット（バスドラムユニット）２８とを有する。スタンド２２には、複数のパッド２１が着脱自在に取り付けられると共に、コントローラ２３が取り付けられる。また、キックユニット２８もパッド２１を有する。複数のパッド２１の形状は互いに異なるが、いずれもパッド２１と呼称する。各パッド２１には、不図示のセンサが設けられ、振動が検出されて、検出信号がコントローラ２３に供給される。
【００１３】
図２は、電子打楽器２０の全体構成を示すブロック図である。コントローラ２３（図１）は、バス１６を介してＣＰＵ５に各デバイスが接続されて構成される。コントローラ２３には、ＣＰＵ５のほか、検出回路３、検出回路４、ＲＯＭ６、ＲＡＭ７、タイマ８、表示部９、記憶装置１０、各種Ｉ／Ｆ（インターフェイス）１１、音源回路１３及び効果回路１４が含まれる。コントローラ２３にはさらに設定操作子２が含まれる。演奏操作子１には、演奏入力装置としての上記した複数のパッド２１（キックユニット２８のパッド２１も含む）が含まれる。検出回路３は演奏操作子１の操作状態を検出し、検出回路４は設定操作子２の操作状態を検出する。
【００１４】
表示部９はＬＣＤ等で構成され、各種情報を表示する。ＣＰＵ５にはタイマ８が接続される。音源回路１３には効果回路１４を介してサウンドシステム１５が接続されている。各種Ｉ／Ｆ１１には、ＭＩＤＩ（Musical Instrument Digital Interface）Ｉ／Ｆ、通信Ｉ／Ｆが含まれる。ＣＰＵ５は、本楽器全体の制御を司る。ＲＯＭ６は、ＣＰＵ５が実行する制御プログラムや各種テーブルデータ等を記憶する。ＲＡＭ７は、各種入力情報、各種フラグやバッファデータ及び演算結果等を一時的に記憶する。記憶装置１０は、例えば不揮発性のメモリであり、上記制御プログラムや各種楽曲データ、各種データ等を記憶する。音源回路１３は、演奏操作子１から入力された演奏データや予め設定された演奏データ等を楽音信号に変換する。効果回路１４は、音源回路１３から入力される楽音信号に各種効果を付与し、ＤＡＣ（Digital-to-Analog Converter）やアンプ、スピーカ等で構成されるサウンドシステム１５は、効果回路１４から入力される楽音信号等を音響に変換する。ＣＰＵ５は、検出回路３の検出結果に基づいて、音源回路１３及び効果回路１４を制御してサウンドシステム１５から音を発生させる。なお、各パッド２１の打撃により発生する音の音色の設定については図３〜図７で後述する。
【００１５】
図３は、コントローラ２３を示す図である。コントローラ２３の上面には上記した表示部９が配設される。コントローラ２３の上面にはまた、設定操作子２に含まれる複数の操作子やスイッチ群として、回転操作されるダイヤルスイッチ２７、それぞれ押下操作されるＫＩＴモードスイッチ２４、ロックスイッチ２５、音色選択モードスイッチ２６が配設される。
【００１６】
図４（ａ）〜（ｄ）は、表示部９の表示例を示す図である。本実施の形態では、音色設定に関するモードとして、ＫＩＴモードと音色選択モードとがある。図４（ａ）は、ＫＩＴモード時に表示されるキット選択画面を示す。図４（ｂ）〜（ｄ）は、音色選択モード時に表示される音色設定画面を示す。ＫＩＴモードスイッチ２４が押下操作される度に、ＫＩＴモードへの移行とＫＩＴモードからの復帰とがトグル変化する。また、音色選択モードスイッチ２６が押下操作される度に、音色選択モードへの移行と音色選択モードからの復帰とがトグル変化する。
【００１７】
ＫＩＴモードでは、キット選択画面（図４（ａ））が表示され、ユーザによりドラムキットが選択される。ドラムキットは、パッド２１の各々に対応する音色を１組にしたセット（ドラムセット）を規定する情報であり、予め記憶装置１０に記憶されている。なお、ドラムキットは、電子打楽器２０が保持していることは必須でなく、各種Ｉ／Ｆ１１を介して外部装置から取得できる構成としてもよい。キット選択画面において、ドラムセット名称４１は、現在選択状態にあるドラムキットの名称である。キットナンバ４２、アイコン４３は、それぞれ、現在選択状態にあるドラムキットの番号、対応するアイコン表示である。ユーザは、ダイヤルスイッチ２７を操作することで、キットナンバ４２を増減でき、キットナンバ４２の変更に対応して、ドラムセット名称４１及びアイコン４３の表示も変化する。
【００１８】
ＫＩＴモードにおける音色選択モードでは、音色設定画面（図４（ｂ）〜（ｄ））が表示される。音色設定画面において、対象パッド名称４４は、現在、音色変更・設定の対象となっているパッド２１（以下、対象パッドという）の名称である。設定音色４５、音色ナンバ４６はそれぞれ、対象パッドに設定されている音色の名称、番号である。ユーザは、ダイヤルスイッチ２７を操作することで音色ナンバ４６を増減でき、音色ナンバ４６の変更に対応して設定音色４５も変化する。また、対象パッドの切り替えは、ユーザが所望のパッド２１を打撃することでなされ、打撃されたパッド２１が新たに対象パッドになる。なお、パッド２１の打撃に限定されず、他のスイッチ操作によって対象パッドの切り替えを行えるようにしてもよい。なお、ＫＩＴモードの初期画面においては、ドラムセットは事前に決められている初期設定対象のものに設定されている。音色設定画面の初期画面においても、対象パッド及び音色は事前に決められている初期設定対象のものに設定されている。
【００１９】
音色設定画面には、このほか、ロック表示４７が表示される。音色選択モードにおいて、ロック表示４７は、ロックスイッチ２５（図３）が押下操作される度にトグル変化し、表示が白塗り状態（図４（ｂ）、（ｃ））と黒塗り状態（図４（ｄ））とに反転する。対象パッドに音色ロックが設定されているとき、ロック表示４７は黒塗り状態となる。詳細な制御は図７で説明するが、音色ロックが設定されていると、対象パッドの設定音色は現在の設定音色に固定され、仮にドラムキットの変更操作がなされたとしても維持される。また、ユーザが個別の音色変更の操作をしようとしても変更が禁止される。図４（ｄ）の例では、「パッドＰ２」というパッドが「音色Ｖ３」という音色にロックされている。なお、音色ロックは、１つのパッド２１に限られず、所望する複数のパッド２１に個別に設定可能である。
【００２０】
図５は、メイン処理のフローチャートである。このフローチャートに係わる制御プログラムは記憶装置１０またはＲＯＭ６に記憶されており、ＲＡＭ７に読み出されてＣＰＵ５によって実行される。なお、この制御プログラムを記憶した記憶媒体を、本楽器に読み出すことによって同様の効果を奏するようにしてもよい。図５に示す処理は、電子打楽器２０の電源のオンにより開始される。
【００２１】
まず、ＣＰＵ５は、初期化を実行、すなわち所定プログラムの実行を開始し、ＲＡＭ７等の各種レジスタに初期値を設定して初期設定を行う（ステップＳ１０１）。次に、ＣＰＵ５は、キット選択の処理（図６）、音色選択の処理（図７）を実行する（ステップＳ１０２、Ｓ１０３）。次に、ＣＰＵ５は、その他の処理を実行し（ステップＳ１０４）、処理をステップＳ１０２に戻す。その他の処理においては、キット選択または音色選択で実施される処理とは別に、設定操作子２の操作に基づく機器の設定や、パッド２１の打撃や演奏データに基づく発音処理等を実行する。
【００２２】
図６は、図５のステップＳ１０２で実行されるキット選択の処理のフローチャートである。まず、ＣＰＵ５は、電子打楽器２０がＫＩＴモード状態であるか否かを判別し（ステップＳ２０１）、ＫＩＴモード状態でない場合は本処理を終了させる。電子打楽器２０がＫＩＴモード状態である場合は、ＣＰＵ５は、コントローラ２３の表示部９にキット選択画面（例えば、図４（ａ））を表示させる（ステップＳ２０２）。次に、ＣＰＵ５は、ダイヤルスイッチ２７の操作によるキット選択操作があったか否かを判別する（ステップＳ２０３）。なお、キット選択操作はダイヤルスイッチ２７の操作に限定されず、他のスイッチによるものであってもよい。ＣＰＵ５は、キット選択操作がない場合は本処理を終了させる。
【００２３】
キット選択操作がなされたことでドラムキットの選択が受け付けられた場合は、ＣＰＵ５は、受け付けた選択に応じてキットナンバ４２を変更（増減）する（ステップＳ２０４）。そして、ＣＰＵ５は、キットナンバ４２で規定されるドラムセットの音色を各パッド２１に割り当てて設定する。その際、ＣＰＵ５は、音色ロックが設定されていない（オフである）パッド２１にのみ、キットナンバ４２のドラムキットで規定された対応する音色を設定（音色を変更）し、音色ロックが設定されている（オンである）パッド２１については、設定音色を変更せずに維持する。これにより、所望のパッド２１の設定音色を固定しつつドラムキットを変更することができる。
【００２４】
次に、ＣＰＵ５は、ステップＳ２０４、Ｓ２０５での処理を反映させて、キット選択画面を更新する（ステップＳ２０６）。すなわち、ＣＰＵ５は、ドラムセット名称４１、キットナンバ４２及びアイコン４３の各表示を変更する。その後、図６の処理は終了する。
【００２５】
図７は、図５のステップＳ１０３で実行される音色選択の処理のフローチャートである。まず、ＣＰＵ５は、電子打楽器２０がＫＩＴモード状態であるか否かを判別し（ステップＳ３０１）、ＫＩＴモード状態でない場合は本処理を終了させる。電子打楽器２０がＫＩＴモード状態である場合は、ＣＰＵ５は、電子打楽器２０が音色選択モード状態であるか否かを判別し（ステップＳ３０２）、音色選択モード状態でない場合は、その他のタブ処理を実行して（ステップＳ３０３）、図７の処理を終了させる。その他のタブ処理では、音色選択モードの解除操作やその他のスイッチやタブの操作があればそれらの操作に応じた処理が実行される。
【００２６】
音色選択モード状態である場合は、ＣＰＵ５は、コントローラ２３の表示部９に音色設定画面（例えば、図４（ｂ））を表示させる（ステップＳ３０４）。次に、ＣＰＵ５は、現在の対象パッドとは別のパッド２１の打撃等による打撃対象パッドの切り替え入力がなされたか否かを判別する（ステップＳ３０５）。ＣＰＵ５は、打撃対象パッドの切り替え入力がなされない場合は、処理をステップＳ３０７に進める。一方、打撃対象パッドの切り替え入力がなされた場合は、ＣＰＵ５は、切り替え入力に応じて、音色設定画面における対象パッド名称４４の表示を更新して（例えば、図４（ｃ））（ステップＳ３０６）、処理をステップＳ３０７に進める。
【００２７】
ステップＳ３０７では、ＣＰＵ５は、ダイヤルスイッチ２７の操作等による音色選択操作がなされたか否かを判別する。ＣＰＵ５は、音色選択操作がなされない場合は、処理をステップＳ３１０に進める一方、音色選択操作がなされた場合は、現在の対象パッドに音色ロックが設定されているか（設定がオンか）否かを判別する（ステップＳ３０８）。その判別の結果、対象パッドに音色ロックが設定されている場合は、ＣＰＵ５は、音色を変更することなく、音色変更が禁止されている旨を報知する（ステップＳ３１２）。例えば、ＣＰＵ５は、音色設定画面に所定のマークまたはメッセージを表示させる。これにより、音色ロックが設定されているパッド２１については、ユーザからの変更指示があっても設定音色の変更がなされず、しかもその旨をユーザは知ることができる。その後、処理はステップＳ３１０に進む。
【００２８】
ステップＳ３０８の判別の結果、対象パッドに音色ロックが設定されていない場合は、ＣＰＵ５は、音色設定画面における音色ナンバ４６及び設定音色４５の表示をステップＳ３０７での選択操作に応じて更新し（例えば、図４（ｃ））（ステップＳ３０９）、処理をステップＳ３１０に進める。ステップＳ３１０では、ＣＰＵ５は、ロックスイッチ２５（図３）の押下操作があったか否かを判別する。その判別の結果、ＣＰＵ５は、ロックスイッチ２５の押下操作がない場合は、処理をステップＳ３０１に戻す。一方、ロックスイッチ２５の押下操作があった場合は、ＣＰＵ５は、対象パッドの音色ロックのオン／オフの設定状態を反転させると共に、音色設定画面におけるロック表示４７の表示を反転させ（ステップＳ３１１）、処理をステップＳ３０１に戻す。
【００２９】
本実施の形態によれば、パッド２１ごとに音色ロックを設定可能であり、ドラムキットの選択が受け付けられた場合、音色ロックが設定されていないパッド２１についてだけ設定音色の変更がなされ、音色ロックが設定されているパッド２１については、設定音色が変更されずに維持される。これにより、ドラムキットを変更しても所望のパッド２１については設定音色を固定することができる。
【００３０】
また、ロック表示４７により、音色ロックが設定されたパッド２１が報知されるので、設定音色が固定されるパッド２１をユーザに知らせることができる。なお、音色ロックの設定を報知する方法はロック表示４７等の視覚報知に限定されず、音声による報知であってもよい。また、パッド２１の設定音色は、ユーザからの変更指示に基づき個別に変更可能であるが、音色ロックが設定されているパッド２１については、ユーザからの変更指示があっても設定音色が変更されないので、設定音色が固定されているパッド２１の設定音色を誤って変更してしまうことを回避することができる。
【００３１】
なお、主な操作子としてスイッチ２４〜２７を例示したが、モードや選択を指示する手段はこれらスイッチ方式に限定されるものではない。また、演奏入力装置としてパッド２１を例示したが、演奏が入力される装置であればよく、パッドと呼称されるデバイスに限定されない。なお、本発明は、電子ドラムに限らず、電子パーカッションやその他の各種の電子打楽器にも適用可能である。本発明はこれら特定の実施形態に限られるものではなく、この発明の要旨を逸脱しない範囲の様々な形態も本発明に含まれる。
【符号の説明】
【００３２】
５  ＣＰＵ（変更手段）、  ９  表示部（報知手段）、  ２１  パッド、  ２４  ＫＩＴモードスイッチ、  ２５  ロックスイッチ（設定手段）、  ２６  音色選択モードスイッチ、  ２７  ダイヤルスイッチ（受け付け手段）
【図１】
2017151355.tif 000003
【図２】
2017151355.tif 000004
【図３】
2017151355.tif 000005
【図４】
2017151355.tif 000006
【図５】
2017151355.tif 000007
【図６】
2017151355.tif 000008
【図７】
2017151355.tif 000009